(57)【特許請求の範囲】
【請求項１】
前軸と後軸とを有する軸筒内に芯繰り出し機構を配置し、その芯繰り出し機構を前記前軸内に配置された錘体によって作動せしめたシャープペンシルであって、前記後軸には固定部材を固定し、前記錘体又は前記固定部材の何れか一方の一部を少なくとも磁石からなすと共に、他方の一部を少なくとも磁石若しくは強磁性体からなし、前記錘体と前記固定部材とが対向位置に配置された際には前記錘体と前記固定部材とを磁力により固定可能とし、前記錘体と前記固定部材とが非対向位置に配置された際には前記錘体と前記固定部材とを解除可能としたことを特徴とするシャープペンシル。
【請求項２】
前記後軸を前記前軸に対して回転可能とし、前記前軸に対する前記後軸の回転により前記錘体を収納した錘体収納部と前記固定部材を収納した固定部材収納部とを対向位置と非対向位置とに切り替え可能としたことを特徴とする請求項１に記載のシャープペンシル。
【請求項３】
前記後軸を前記前軸に対して前後動可能とし、前記前軸に対する前記後軸の前後動により前記錘体と前記固定部材とを対向位置と非対向位置とに切り替え可能としたことを特徴とする請求項１に記載のシャープペンシル。
【請求項４】
前軸とその前軸のキャップを有し、前記前軸内に芯繰り出し機構を配置し、その芯繰り出し機構を前記前軸内に配置された錘体によって作動せしめたシャープペンシルであって、前記キャップには固定部材を固定し、前記錘体又は前記固定部材の何れか一方の一部を少なくとも磁石からなすと共に、他方の一部を少なくとも磁石若しくは強磁性体からなし、前記キャップを前記前軸の前方及び後方に対して脱着可能とすることにより前記錘体と前記固定部材とを対向位置と非対向位置とに切り替え可能とし、前記錘体と前記固定部材とが対向位置に配置された際には前記錘体と前記固定部材とを磁力により固定可能とし、前記錘体と前記固定部材とが非対向位置に配置された際には前記錘体と前記固定部材とを解除可能としたことを特徴とするシャープペンシル。
【発明の詳細な説明】
【技術分野】
【０００１】
本発明は、軸筒内に芯繰り出し機構を配置し、その芯繰り出し機構を軸筒内に配置された錘体によって作動せしめたシャープペンシルに関する。
【背景技術】
【０００２】
従来、軸筒（シャープペンシル本体）内に、チャック体・チャックリング（締めリング）・チャックスプリング・芯タンクよりなる芯繰り出し機構、及び錘体（振子）を前後動可能に配置し、軸筒を振ることにより生じる錘体の慣性力でチャック体を前進させて芯を繰り出すようにしたシャープペンシルが知られている。
このようなシャープペンシルには、軸筒内に設けられている錘体が携帯中などの意図しない振動により前後動し、芯が出てしまうという悪さがある。この悪さを解決する為に様々な提案がなされている。
その構造の一例が、錘体自体を固定する構造により、意図しない振動による芯の繰り出しを防ぐ構成を持つ振出式シャープペンシルである（特開２００８−１７３９５３号（特許文献１））。
【０００３】
前記特許文献１に記載のシャープペンシルにおいては、軸筒の長手方向に長さを有し、径方向全周に溝が設けられた錘体を軸筒内に前後動可能に設けると共に、その錘体に係合するロック部を有するロックレバーと、そのロック部を押圧する押圧突起を有する操作片とを軸筒に組み込んでいる。錘体が停止している状態で操作片を回転させると、前記ロック部が前記操作片の押圧突起によって軸筒の内径方向へ押圧され、変形する。そして、錘体に掘られた溝に倒れこみ、結果として、錘体が固定され、意図しない振動による芯の繰り出しが防がれる。
尚、前記特許文献１においては、前記ロック部と前記操作体に、それぞれ係合爪が設けられており、それら係合爪が係合する構成となっている。錘体のロック解除時、即ち、シャープペンシルを使用する際に、前記操作体をロック時とは逆に回転させることで、前記係合爪によりロック部が操作体と係合し、ロック部は軸筒の外径方向に移動せしめられる。この際、前記錘体とロック部との係合が外れ、錘体が前後動可能となることにより、通常の芯の繰り出し操作ができるようになる。
【先行技術文献】
【特許文献】
【０００４】
【特許文献１】特開２００８−１７３９５３号
【発明の概要】
【発明が解決しようとする課題】
【０００５】
前記特許文献１に記載の従来技術にあっては、ロックレバーのロック部を変形させることによって錘体をロックせしめているため、ロック部に対して負荷がかかってしまっていた。このため、長期的な使用により、錘体のロック部にヒビが入ってしまったり、ロック部が折れてしまったりするなどして、錘体のロック不良が起こる可能性が高かった。
【課題を解決するための手段】
【０００６】
本発明は、前軸と後軸とを有する軸筒内に芯繰り出し機構を配置し、その芯繰り出し機構を前記前軸内に配置された錘体によって作動せしめたシャープペンシルであって、前記後軸には固定部材を固定し、前記錘体又は前記固定部材の何れか一方の一部を少なくとも磁石からなすと共に、他方の一部を少なくとも磁石若しくは強磁性体からなし、前記錘体と前記固定部材とが対向位置に配置された際には前記錘体と前記固定部材とを磁力により固定可能とし、前記錘体と前記固定部材とが非対向位置に配置された際には前記錘体と前記固定部材とを解除可能としたことを第１の要旨とし、前軸とその前軸のキャップを有し、前記前軸内に芯繰り出し機構を配置し、その芯繰り出し機構を前記前軸内に配置された錘体によって作動せしめたシャープペンシルであって、前記キャップには固定部材を固定し、前記錘体又は前記固定部材の何れか一方の一部を少なくとも磁石からなすと共に、他方の一部を少なくとも磁石若しくは強磁性体からなし、前記キャップを前記前軸の前方及び後方に対して脱着可能とすることにより前記錘体と前記固定部材とを対向位置と非対向位置とに切り替え可能とし、前記錘体と前記固定部材とが対向位置に配置された際には前記錘体と前記固定部材とを磁力により固定可能とし、前記錘体と前記固定部材とが非対向位置に配置された際には前記錘体と前記固定部材とを解除可能としたことを第２の要旨とする。
【発明の効果】
【０００７】
本発明は、第１の要旨を、前軸と後軸とを有する軸筒内に芯繰り出し機構を配置し、その芯繰り出し機構を前記前軸内に配置された錘体によって作動せしめたシャープペンシルであって、前記後軸には固定部材を固定し、前記錘体又は前記固定部材の何れか一方の一部を少なくとも磁石からなすと共に、他方の一部を少なくとも磁石若しくは強磁性体からなし、前記錘体と前記固定部材とが対向位置に配置された際には前記錘体と前記固定部材とを磁力により固定可能とし、前記錘体と前記固定部材とが非対向位置に配置された際には前記錘体と前記固定部材とを解除可能とし、第２の要旨を、前軸とその前軸のキャップを有し、前記前軸内に芯繰り出し機構を配置し、その芯繰り出し機構を前記前軸内に配置された錘体によって作動せしめたシャープペンシルであって、前記キャップには固定部材を固定し、前記錘体又は前記固定部材の何れか一方の一部を少なくとも磁石からなすと共に、他方の一部を少なくとも磁石若しくは強磁性体からなし、前記キャップを前記前軸の前方及び後方に対して脱着可能とすることにより前記錘体と前記固定部材とを対向位置と非対向位置とに切り替え可能とし、前記錘体と前記固定部材とが対向位置に配置された際には前記錘体と前記固定部材とを磁力により固定可能とし、前記錘体と前記固定部材とが非対向位置に配置された際には前記錘体と前記固定部材とを解除可能としたため、長期にわたり、錘体のロックを良好に行うことが出来る。
【図面の簡単な説明】
【０００８】
【図１】第１実施例のシャープペンシル全体の外観図である。
【図２】図１の分解斜視図である。
【図３】図１の縦断面図（錘体の固定解除時）である。
【図４】図３と断面位置を９０度異ならしめた、図１の縦断面図（錘体の固定解除時）である。
【図５】図３のＡ−Ａ線断面図である。
【図６】図３のＢ−Ｂ線断面図である。
【図７】図３のＣ−Ｃ線断面図である。
【図８】後軸４の前方部分拡大斜視図である。
【図９】前軸３の後方部分拡大斜視図である。
【図１０】図１の縦断面図（錘体の固定時）である。
【図１１】第２実施例のシャープペンシル全体の外観図（錘体の固定解除時）である。
【図１２】図１１の縦断面図（錘体の固定解除時）である。
【図１３】図１２の後方部分拡大図である。
【図１４】第２実施例のシャープペンシル全体の外観図（錘体の固定時）である。
【図１５】図１４の縦断面図（錘体の固定時）である。
【図１６】図１５の後方部分拡大図である。
【図１７】第３実施例のシャープペンシル全体の外観図（錘体の固定解除時）である。
【図１８】図１７の縦断面図（錘体の固定解除時）である。
【図１９】図１８の後方部分拡大図である。
【図２０】第３実施例のシャープペンシル全体の外観図（錘体の固定時）である。
【図２１】図２０の縦断面図（錘体の固定時）である。
【図２２】図２１の前方部分拡大図である。
【発明を実施するための形態】
【０００９】
作用について説明する。前軸と後軸とを有する軸筒内に芯繰り出し機構を配置し、その芯繰り出し機構を前記前軸内に配置された錘体によって作動せしめたシャープペンシルであって、前記後軸には固定部材を固定し、前記錘体又は前記固定部材の何れか一方の一部を少なくとも磁石からなすと共に、他方の一部を少なくとも磁石若しくは強磁性体からなし、前記錘体と前記固定部材とが対向位置に配置された際には前記錘体と前記固定部材とを磁力により固定可能とし、前記錘体と前記固定部材とが非対向位置に配置された際には前記錘体と前記固定部材とを解除可能としたため、また、前軸とその前軸のキャップを有し、前記前軸内に芯繰り出し機構を配置し、その芯繰り出し機構を前記前軸内に配置された錘体によって作動せしめたシャープペンシルであって、前記キャップには固定部材を固定し、前記錘体又は前記固定部材の何れか一方の一部を少なくとも磁石からなすと共に、他方の一部を少なくとも磁石若しくは強磁性体からなし、前記キャップを前記前軸の前方及び後方に対して脱着可能とすることにより前記錘体と前記固定部材とを対向位置と非対向位置とに切り替え可能とし、前記錘体と前記固定部材とが対向位置に配置された際には前記錘体と前記固定部材とを磁力により固定可能とし、前記錘体と前記固定部材とが非対向位置に配置された際には前記錘体と前記固定部材とを解除可能としたため、錘体の固定を、錘体と固定部材との間に働く磁力（引力）によって行う。これにより、錘体の固定に係る部品に負荷をかけず、無理な変形をさせることなく、錘体の固定を行うことが出来る。そして、その結果、長期にわたり、錘体の固定を良好に行うことが出来る。
尚、本発明において芯繰り出し機構は、少なくとも、チャック体、チャックリング、チャックスプリング、及び、芯タンクを有する。
【００１０】
以下、本発明の第１実施例の具体的な構成を図１〜図１０に示し説明する。軸筒１は、先部材２と、その先部材２の後端に着脱自在に螺着された前軸３と、その前軸３の後端に前軸３に対して回転可能に嵌着された後軸４とから構成されている。
【００１１】
前記軸筒１の内部には、芯Ｌの繰り出しを行う芯繰り出し機構が前後動自在に配置されている。本実施例においては、芯繰り出し機構をユニット化しており、以下では、芯繰り出しユニット５と称する。この芯繰り出しユニット５について詳述する。
前記軸筒１内には、複数の芯Ｌを貯留する芯タンク６が前後動可能に配置されており、その芯タンク６の前方には、芯Ｌの把時・開放を行うチャック体７が固定されている。このチャック体７の前方外周には、チャック体７の開閉を行うチャックリング８が囲繞されている。また、前記チャック体７の前方には、前記先部材２内を摺動するスライド部材９が前後動可能に配置されており、そのスライド部材９の内部には、繰り出された芯Ｌの後退を阻止するゴム状弾性体からなる芯戻り止め部材１０が固定されている。また、前記スライド部材９の外周には先部材２との摺動抵抗を持たせるためのＯリング等からなる弾性体１１が配置されている。符号１２は、前方に大径の鍔部を有する中子であり、この中子１２は前記チャックリング８を覆うように配置されている。この中子１２の鍔部が前記先部材２と前軸３とに狭持され、芯繰り出しユニット５は前軸３内で位置決めされる。符号１３は、前記芯タンク６やチャック体７を後方に付勢するコイルスプリングなどの弾撥部材であり、この弾撥部材（チャックスプリング）１３は、前記中子１２と、後述の錘体１４を受ける受け部材１５との間に張設されている。錘体１４は、前軸３内に前後動可能に収納されており、この錘体１４の受け部材１５は、芯タンク６とチャック体７との連結部分の外周部に固定されている。前記芯タンク６の後端には消しゴム受け部材１６が嵌め込まれており、その消しゴム受け部材１６の後端部には、消しゴム１７が着脱自在に取り付けられている。符号１８は前記消しゴム受け部材１６に着脱自在に取り付けられ、後軸４の後部に配置されたノック部材である。
軸筒１が上下方向に振られると、軸筒１内にある前記錘体１４が前後動し、受け部材１５に前進力を付与することにより、チャック体７が前進し、芯Ｌが繰り出される。
尚、この芯Ｌの繰り出しは、前記ノック部材１８を下方に向けて押圧することによってもできる。
【００１２】
次に、前記錘体１４及び、その錘体１４の固定・解除に係る構成を詳述する。
前軸３の内部には、その長手方向に貫通して、９０度毎に横断面が扇状の錘体収納部１９が形成されており、この錘体収納部１９には、それぞれ横断面扇状の錘体１４が前軸３に対して前後動可能に収納されている（図５、図６）。本実施例において、錘体１４は、鉄部材２０とその鉄部材２０の後端部に固定された磁石２１とから構成されており、鉄部材２０と磁石２１とは接着によって固定されている（図３）。
一方、後軸４の内部にも、前記前軸３の錘体収納部１９と対応した横断面が扇状の形状固定部材収納部２２が９０度毎に形成されている。この後軸４の固定部材収納部２２の下端には、それぞれ横断面扇状の固定磁石（固定部材）２３が固定されており（図４、図７）、この後軸４内の固定磁石２３と、前記前軸３内の磁石２１とは、それら磁石が対向位置に配置された際に対向する面が異種の磁極となるように配置されている。
ここで、後軸４は前述した通り、前軸３に対して回転可能に嵌着されている。この前軸３と後軸４との嵌着は、後軸４の前端に形成したリブ部２４によって行う。詳述すると、後軸４の外周部前方には径方向に均等に配置された４本の脚部２５が延びている。この脚部２５の前端が外径方向に凸の矢型形状のリブ部２４となっており（図３、図９）、この後軸４のリブ部２４が前軸３の後方に形成した円周状の凹部２６に嵌着することで、後軸４を前軸３に対して回転可能ではあるものの、脱落不能に固定している。また、前軸３の後方に形成された前記円周状の凹部２６には９０度毎に後軸４の位置決めのためのリブ部（位置決めリブ部）２７が形成されており（図８）、後軸４を前軸３に対して９０度回転させる毎に、上記位置決めリブ部２７と後軸４前方に配置されたリブ部２４とが当接し、回転規制がなされる。
【００１３】
前記前軸３の錘体収納部１９と前記後軸４の固定部材収納部２２とが非対向関係の位置にある場合、即ち、錘体収納部１９と固定部材収納部２２が９０度異なる位置関係にある場合、錘体１４の後方に固定された磁石２１と後軸４の固定磁石２３との間の引力が弱まり、或いは、引力を受けることができなくなり、錘体１４は前後動が可能となる（図３、図４）。そして、軸筒１を上下方向に振り、錘体１４が前進した際に、錘体１４の受け部材１５に前進力が付与され、チャック体７が前進し、芯の繰り出しがなされ、通常の振出式シャープペンシルとして使用できる。
一方、後軸４を回転させ、前記前軸３の錘体収納部１９と前記後軸４の固定部材収納部２２とを対向する位置にした場合、錘体１４の後端部に固定された磁石２１と後軸４の固定部材収納部２２内の固定磁石２３とが引き合い、錘体１４が固定（ロック）される（図１０）。その結果、例え携帯時などに軸筒１が上下方向に振れてしまっても、錘体１４は動かず、意図しない芯出を防止することが出来る。再び振出式シャープペンシルとして使用する場合には、後軸４を一定量回転させ、前記錘体１４と固定磁石２３との固定を解除せしめれば良い。本実施例においては、後軸４を９０度回転させることで、錘体１４と固定磁石２３との固定が解除される。
以上のように、錘体の固定・解除を、磁力を用いて行うことで、錘体の固定に係る部品に負荷をかけず、無理な変形をさせることなく、錘体の固定・解除を行うことが出来る。そして、その結果、長期にわたり、錘体の固定を良好に行うことが出来る。
【００１４】
この他、本実施例のように錘体の固定・解除に磁力を用いると、前記前軸の錘体と後軸内の固定磁石とが「カチッ」という軽やかな音を立てながら固定され、さらに固定の際の振動が手に伝わるため、正しく錘体を固定できたことを視覚以外でも認識することができる。また、使用者は、他の錘体の固定方法では得られない固定時の音や感触を楽しむことも出来る。
更には、本実施例のように磁力を用いると、錘体の固定・解除に係る部品点数を少なくすることが出来ると共に、固定構造に係る箇所の軸径を細くすることができる。このため、シャープペンシルのデザインの幅を広げることも出来る。
そして、本実施例のように、前軸と後軸とを嵌着させる構造は、組み立て時に位置合わせを容易に行うことが出来、生産性を向上させることができる。
【００１５】
尚、本実施例では、錘体を鉄部材と磁石とからなし、固定部材を固定磁石としたが、前記錘体又は固定部材の何れか一方の一部を少なくとも磁石からなし、また、他方の一部を少なくとも磁石若しくは強磁性体からなしていれば良く、その組み合わせは任意のものとすることができる。錘体と固定部材とが磁力によって固定できれば良い。
例えば、錘体と固定部材が共に磁石のみから構成されても良いし、錘体と固定部材とが対向する面だけが共に磁石であり、その他の部分は任意の部材からなっても良い。また、錘体を強磁性体からなし、固定部材を磁石からなしても良いし、その逆としても良く、錘体と固定部材とが対向する面だけが共に強磁性体又は磁石であり、その他の部分は任意の部材からなっても良い。錘体と固定部材とが磁力によって固定できれば良いのである。
【００１６】
また、本実施例では、前軸の錘体収納部と、後軸の固定部材収納部をそれぞれ２部屋形成し、錘体と固定部材とを各部屋に１部材収納したが、収納部の部屋数や、各収納部に収納する錘体や固定部材の数は任意に定めることが出来る。どの程度の後軸の回転角度で錘体の固定・解除を行うか、また、錘体と固定部材との間の磁力の強さをどの程度にするかにより、前軸・後軸内の収納部の部屋数や、その収納部に入れる錘体や固定部材の数や磁力の強さを定めればよい。本実施例のように、錘体及び固定部材を径方向の対向する位置に１部材ずつ収納した場合には、収納部の一方にのみ錘体・固定部材を配置した場合よりも更に安定した芯繰り出しを行うことが出来る。
【００１７】
この他、本実施例では、錘体の固定と解除を視覚的に認識出来るよう、固定・解除の識別表示印刷を前軸３と後軸４に設けている。より具体的には、錘体収納部１９に対応した前軸３後方の外周面には「固定」を意味する表示を印刷し、他の前軸３後方部分には「解除」を意味する表示を印刷する。一方、固定部材収納部２２に対応した後軸４前方の外周面にも「固定」を意味する表示を印刷する。このようにすることで、錘体の固定・解除が、前記前軸３の「固定」表示と後軸４の「固定」表示とが対向関係にあるか、非対向関係にあるかで、錘体の状態を認識することができる。勿論、錘体の固定・解除の認識手段は、本実施例のような軸筒への識別表示印刷に限らない。印刷以外の識別表示の手段として、前軸の前方に窓孔を設けることで、錘体が後軸に固定された状態では窓孔からは錘体が見えないようにするなどの手段が考えられる。
【００１８】
次に、本発明の第２実施例について図１１〜図１６に示し、説明する。第２実施例は、固定部材（固定磁石）を有する後軸を前軸の前後方向に移動可能とすることにより、錘体の固定・解除を可能としたシャープペンシルの例である。尚、以下では、第１実施例と同様の構成に関する説明は省略する。
本実施例にあっては、後軸４を前軸３に対して前後動可能、かつ、前軸３を内包するように配置する。この時、前軸３に形成された長手方向に長さを有する溝部２８と、後軸４の内面に形成され、前記前軸３の溝部２８と対応する幅を有するリブ部２９との係合によって、前軸３に対する後軸４の径方向及び前後方向への移動が規制されている（図１３、図１６）。この前軸３に対する後軸４の径方向への移動規制はなくても良いが、デザインなどの理由により前軸と後軸とで位置決めが必要な場合には有用である。
ここで、後軸４は前軸３に対して、前方と後方の２箇所で位置決めが可能となっている。この構成について詳述する。前軸３の外周面には、その軸筒の長手方向の異なる位置に、略同形状の凹部が２箇所形成されており（凹部３０、３１）、また、後軸４の前方内部には、その前軸３の凹部に対応した形状の凸部３２が形成されている。前記前軸３の凹部３０、３１と後軸４の凸部３２とが嵌合することによって、前軸３に対して前後２箇所で後軸４を位置決めさせることができる。尚、本実施例では、前記前軸３の凹部３０、３１と後軸４の凸部３２の軸筒方向の当接面を傾斜面３３とし、また、前記前軸３の凹部３０と凹部３１の間の前軸外径をやや小さく形成して、前軸３に対して後軸４を前後動しやすくしている。
更に、前記前軸３と後軸４の内部構成について詳述する。前記前軸３は円筒状の部材から形成されており、その内部には鉄材質からなる錘体１４を含む芯繰り出しユニット５が配置されている。この錘体１４は円筒状の形状をしており、芯繰り出しユニット５を内包している。一方、後軸４の内部前方には、円筒状の固定磁石（固定部材）２３が配置されている。
【００１９】
本実施例では、後軸４が前軸３に対して後方へ移動させた場合、即ち、後軸４の凸部３２が前軸３の凹部３０に嵌合している場合、錘体１４と固定磁石２３とは、軸筒１の長手方向で異なる箇所に位置する。即ち、錘体１４と固定磁石２３との間には、軸筒１の長手方向に空間があり、錘体１４と固定磁石２３との間の引力が弱まり、或いは、引力を受けることができなくなり、錘体１４が前後動可能となる（図１２、図１３）。そして、軸筒１を上下方向に振り、錘体１４が前進した際に、錘体１４の受け部材１５に前進力が付与され、チャック体７が前進し、芯Ｌの繰り出しがなされ、通常の振出式シャープペンシルとして使用できる。
一方、前記後軸４を軸筒１の前方へ移動させた場合、即ち、後軸４の凸部３２が前軸３の凹部３１に嵌合している場合、錘体１４と固定磁石２３とは、軸筒１の長手方向が重なる箇所に位置する。このため、錘体１４と固定磁石２３とが引き合い、錘体１４が固定される（図１５、図１６）。その結果、例え携帯時などに軸筒１が上下方向に振れてしまっても、錘体１４は動かず、意図しない芯出を防止することが出来る。
尚、再び振出式シャープペンシルとして使用する場合には、後軸４を前軸３に対して後方に移動させ、前記錘体１４と固定磁石２３との固定を解除せしめれば良い。前述したように、後軸４の凸部３２が前軸３の凹部３０に嵌合している場合に、錘体１４の固定が解除される。
以上のように、錘体の固定・解除を、磁力を用いて行うことで、錘体の固定に係る部品に負荷をかけず、無理な変形をさせることなく、錘体の固定・解除を行うことが出来る。そして、その結果、長期にわたり、錘体の固定を良好に行うことが出来る。
【００２０】
尚、本実施例にあっては、錘体と固定磁石（固定部材）との対向面積を増やすことができ、より確実な錘体の固定を行うことができる。
また、本実施例にあっては、錘体の固定と解除に係る視認性が向上する。錘体の固定時と解除時で、シャープペンシル全体の外観形状そのものが変化する為である。尚、後軸を前軸に対して前方へ移動させた際に露出する前軸の後方部を他と異なる色としたり、或いは、その前軸の後方部に識別表示を記載したりすることにより、錘体の固定と解除に係る視認性はより向上する。
【００２１】
尚、本実施例においては、錘体を強磁性体である鉄部材からなし、固定部材を固定磁石としたが、第１実施例と同様に、錘体を鉄部材と磁石とからなし、固定部材を固定磁石としても良い。これに限らず、前記錘体又は固定部材の何れか一方の一部を少なくとも磁石からなし、また、他方の一部を少なくとも磁石若しくは強磁性体からなしていれば良く、その組み合わせは任意のものとすることができる。錘体と固定部材とが磁力によって固定できれば良い。
【００２２】
最後に、本発明の第３実施例について図１７〜図２２に示し、説明する。第３実施例は、第２実施例の後軸の変形例であり、錘体の固定部材をキャップ（後軸）内に配置したキャップ式シャープペンシルの例である。尚、以下では、第２実施例と同様の構成に関する説明は省略する。
本実施例にあっては、後軸４を、前軸３の前方及び後方に対して脱着可能とする。この後軸４は、いわゆるキャップである。本実施例では、この後軸４にはクリップを設けたが、このクリップはあってもなくても良い。
前軸３の前方外周面には円周状の凹部３４が設けられ、また、その前軸３に内包された芯繰り出しユニット５の消しゴム受け部材１６の大径鍔部にも円周状の凹部３５が設けられている。一方、後軸（キャップ）４の内部には円周状のリブ部３６が設けられており、後軸（キャップ）４内のリブ部３６が前記前軸の凹部３４又は消しゴム受け部材１６の凹部３５に嵌まることにより、後軸（キャップ）４は前軸３乃至は消しゴム受け部材１６に固定される。
前記前軸３と後軸（キャップ）４の内部構成について詳述する。前記前軸３の内部構成は、第２実施例と同様である。前軸３内に配置された円筒状の錘体１４は、磁石から構成されている。一方、後軸（キャップ）４は、その長手方向の一方が有底の円筒形状をしている。以下では、後軸（キャップ）４の開口側を前方、有底側を後方とする。この後軸（キャップ）４の内部前方には、円筒状の固定磁石（固定部材）２３が配置されている。この固定磁石２３は、前記前軸３内の錘体１４と、径方向において異なる磁極を有しており、この固定磁石２３と前記前軸３内の錘体１４とは、対向する位置となった際に引力が働くように配置されている。
【００２３】
本実施例では、後軸（キャップ）４を前記消しゴム受け部材１６、即ち、前軸３の後方に嵌合させた場合、錘体１４と固定磁石２３とは、軸筒１の長手方向で異なる箇所に位置する。即ち、錘体１４と固定磁石２３との間には、軸筒１の長手方向に空間があり、錘体１４と固定磁石２３との間の引力が弱まり、或いは、引力を受けることができなくなり、錘体１４が前後動可能となる（図１７、図１８）。そして、軸筒１を上下方向に振り、錘体１４が前進した際に、錘体１４の受け部材１５に前進力が付与され、チャック体７が前進し、芯Ｌの繰り出しがなされ、通常の振出式シャープペンシルとして使用できる。
一方、前記後軸（キャップ）４を前軸３の前方に嵌合させた場合、錘体１４と固定磁石２３とは、軸筒１の長手方向が重なる箇所に位置する。このため、錘体１４と後軸（キャップ）４の固定磁石２３とが引き合い、錘体１４が固定される（図２１、図２２）。その結果、例え携帯時などに軸筒１が上下方向に振れてしまっても、錘体１４は動かず、意図しない芯出を防止することが出来る。
尚、再び振出式シャープペンシルとして使用する場合には、後軸４を前軸３の前方から外して、前軸３の後方（消しゴム受け部材１６）に嵌合せしめ、錘体１４の固定を解除すれば良い。また、後軸４を前軸３の前方から外したままとしても良く、この場合でも、錘体１４の固定は解除される。
以上のように、錘体の固定・解除を、磁力を用いて行うことで、錘体の固定に係る部品に負荷をかけず、無理な変形をさせることなく、錘体の固定・解除を行うことが出来る。そして、その結果、長期にわたり、錘体の固定を良好に行うことが出来る。
【００２４】
尚、本実施例にあっても、第２実施例と同様に錘体と固定磁石との対向面積を増やすことができ、より確実な錘体の固定を行うことができる。
また、本実施例にあっては、錘体の固定の解除時と錘体の固定時に係る動作が、即ち、シャープペンシルの使用時と未使用時に係る動作（キャップを前軸から外す動作と、前軸に取り付ける動作）となる。このため、錘体の固定・解除に係る動作が直観的であり、操作性がより優れたものとなる。
【００２５】
尚、本実施例においては、錘体を磁石からなし、固定部材を固定磁石としたが、第１実施例と同様に、錘体を鉄部材と磁石とからなし、固定部材を固定磁石としても良い。これに限らず、前記錘体又は固定部材の何れか一方の一部を少なくとも磁石からなし、また、他方の一部を少なくとも磁石若しくは強磁性体からなしていれば良く、その組み合わせは任意のものとすることができる。錘体と固定部材とが磁力によって固定できれば良い。
【符号の説明】
【００２６】
１      軸筒
２      先部材
３      前軸
４      後軸
５      芯繰り出しユニット
６      芯タンク
７      チャック体
８      チャックリング
９      スライド部材
１０    芯戻り止め部材
１１    弾性体
１２    中子
１３    弾撥部材（チャックスプリング）
１４    錘体
１５    受け部材
１６    消しゴム受け部材
１７    消しゴム
１８    ノック部材
１９    錘体収納部
２０    鉄部材
２１    磁石
２２    固定部材収納部
２３    固定磁石（固定部材）
２４    リブ部
２５    脚部
２６    円周状の凹部
２７    位置決めリブ部
２８    リブ部
２９    リブ部
３０    凹部
３１    凹部
３２    凸部
３３    傾斜面
３４    円周状の凹部
３５    円周状の凹部
３６    円周状のリブ部
Ｌ      芯
【図１】
0005742434.tif 000002
【図２】
0005742434.tif 000003
【図３】
0005742434.tif 000004
【図４】
0005742434.tif 000005
【図５】
0005742434.tif 000006
【図６】
0005742434.tif 000007
【図７】
0005742434.tif 000008
【図８】
0005742434.tif 000009
【図９】
0005742434.tif 000010
【図１０】
0005742434.tif 000011
【図１１】
0005742434.tif 000012
【図１２】
0005742434.tif 000013
【図１３】
0005742434.tif 000014
【図１４】
0005742434.tif 000015
【図１５】
0005742434.tif 000016
【図１６】
0005742434.tif 000017
【図１７】
0005742434.tif 000018
【図１８】
0005742434.tif 000019
【図１９】
0005742434.tif 000020
【図２０】
0005742434.tif 000021
【図２１】
0005742434.tif 000022
【図２２】
0005742434.tif 000023